【手続補正書】
【提出日】平成18年12月27日(2006.12.27)
【手続補正１】
【補正対象書類名】特許請求の範囲
【補正対象項目名】全文
【補正方法】変更
【補正の内容】
【特許請求の範囲】
【請求項１】
金属過酸化物および少量の水溶性高分子剤を含むことを特徴とする水性塗料。
【請求項２】
前記金属過酸化物は、固体状態の１つにおいて非晶質であることを特徴とする請求項１に記載の塗料。
【請求項３】
前記金属過酸化物は、１または２以上の固体状態において結晶質であり且つ光触媒性を有することを特徴とする請求項２に記載の塗料。
【請求項４】
前記水溶性高分子剤は、ポリエチレンオキシドシランを含むことを特徴とする請求項１に記載の塗料。
【請求項５】
前記水溶性高分子剤は、脂肪族アクリルウレタンポリマーであることを特徴とする請求項１に記載の塗料。
【請求項６】
前記水溶性高分子剤は、パラビスシクロヘキシルメタンジアミンであることを特徴とする請求項１に記載の塗料。
【請求項７】
前記水溶性高分子剤は、水溶性の脂肪族ジイソシアネートと第３アミンとの反応生成物であることを特徴とする請求項１に記載の塗料。
【請求項８】
前記脂肪族ジイソシアネートは、ジメチルプロピオン酸とイソフォロンジイソシアネートとの反応生成物であることを特徴とする請求項１に記載の塗料。
【請求項９】
前記水溶性高分子剤の量は、前記金属過酸化物および水溶性高分子剤の全乾燥重量に対して約９〜５５重量パーセントであることを特徴とする請求項１に記載の塗料。
【請求項１０】
前記金属過酸化物はチタン過酸化物ゾルであることを特徴とする請求項１に記載の塗料。
【請求項１１】
水性塗料であって、金属過酸化物と、約６〜１０ｎｍの範囲内の粒径を有する光化学的に活性な金属酸化物粒子と、水溶性高分子剤と、を含み、該金属酸化物粒子の一部は前記水性塗料に溶解し、前記水溶性高分子剤の含有量は前記水性塗料の構成成分の全乾燥重量に対して約５〜５０重量パーセントの範囲にあることを特徴とする水性塗料。
【請求項１２】
前記金属過酸化物は、固体状態の１つにおいて非晶質であることを特徴とする請求項１１に記載の塗料。
【請求項１３】
前記金属過酸化物は、１または２以上の固体状態において結晶質であり且つ光触媒性を有することを特徴とする請求項１１に記載の塗料。
【請求項１４】
前記金属過酸化物はチタン過酸化物ゾルであることを特徴とする請求項１１に記載の塗料。
【請求項１５】
前記水溶性高分子剤はポリエチレンオキシドシラン湿潤剤を含むことを特徴とする請求項１１に記載の塗料。
【請求項１６】
前記水溶性高分子剤は、脂肪族アクリルウレタンポリマーであることを特徴とする請求項１１に記載の塗料。
【請求項１７】
前記水溶性高分子剤は、パラビスシクロヘキシルメタンジアミンであることを特徴とする請求項１１に記載の塗料。
【請求項１８】
前記水溶性高分子剤は、水溶性の脂肪族ジイソシアネートと第３アミンとの反応生成物であることを特徴とする請求項１１に記載の塗料。
【請求項１９】
前記脂肪族ジイソシアネートは、ジメチルプロピオン酸とイソフォロンジイソシアネートとの反応生成物であることを特徴とする請求項１８に記載の塗料。
【請求項２０】
前記水溶性高分子剤の含有量は、前記塗料の構成成分の全乾燥重量に対して約５〜３８重量パーセントの範囲にあることを特徴とする請求項１１に記載の塗料。
【請求項２１】
前記光化学的に活性な金属酸化物粒子の量は、前記塗料の構成成分の全乾燥重量に対して約３２〜４８重量パーセントの範囲にあることを特徴とする請求項１１に記載の塗料。
【請求項２２】
前記光化学的に活性な金属酸化物粒子の量は、前記塗料の構成成分の全乾燥重量に対して約４５〜４７重量パーセントの範囲にあることを特徴とする請求項１１に記載の塗料。
【請求項２３】
請求項１に記載の塗料で塗布されていることを特徴とする基材。
【請求項２４】
ガラス、金属、ポリマー、セラミック、コンクリート、れんが、木材、石材および布地からなる群から選択されてなることを特徴とする請求項２３に記載の塗布された基材。
【請求項２５】
ガラス、金属およびポリマーからなる群から選択されてなることを特徴とする請求項２３に記載の塗布された基材。
【請求項２６】
前記基材は透明または半透明であることを特徴とする請求項２３に記載の塗布された基材。
【請求項２７】
前記基材は透明であることを特徴とする請求項２３に記載の塗布された基材。
【請求項２８】
前記基材は不透明であることを特徴とする請求項２３に記載の塗布された基材。
【請求項２９】
請求項１１に記載の塗料で塗布されていることを特徴とする基材。
【請求項３０】
ガラス、金属、ポリマー、セラミック、コンクリート、れんが、木材、石材および布地からなる群から選択されてなることを特徴とする請求項２９に記載の塗布された基材。
【請求項３１】
ガラス、金属およびポリマーからなる群から選択されてなることを特徴とする請求項３０に記載の塗布された基材。
【請求項３２】
前記基材は、透明または半透明であることを特徴とする請求項２９に記載の塗布された基材。
【請求項３３】
前記基材は透明であることを特徴とする請求項２９に記載の塗布された基材。
【請求項３４】
前記基材は不透明であることを特徴とする請求項２９に記載の塗布された基材。
【請求項３５】
薄膜化可能な無色且つ水不溶性の塗料の製造方法であって、
（ａ）金属過酸化物を含む水性配合物を製造するステップと、
（ｂ）水溶性の高分子剤を前記ステップ（ａ）で得た溶液に加えて、前記水溶性の高分子剤の量を、前記金属過酸化物と水溶性高分子剤との全乾燥重量に対して約９〜５５重量パーセントとならしめるステップと、
を備えることを特徴とする製造方法。
【請求項３６】
前記金属過酸化物はチタン過酸化物ゾルであることを特徴とする請求項３５に記載の方法。
【請求項３７】
前記水溶性高分子剤は、ポリエチレンオキシドシランを含むことを特徴とする請求項３５に記載の方法。
【請求項３８】
前記水溶性高分子剤は、脂肪族アクリルウレタンポリマーを含むことを特徴とする請求項３５に記載の方法。
【請求項３９】
前記水溶性高分子剤は、パラビスシクロヘキシルメタンジアミンを含むことを特徴とする請求項３５に記載の方法。
【請求項４０】
前記水溶性の高分子剤は水溶性の脂肪族ジイソシアネートと第３アミンとの反応生成物を含むことを特徴とする請求項３５に記載の方法。
【請求項４１】
前記脂肪族ジイソシアネートは、ジメチルプロピオン酸とイソフォロンジイソシアネートとの反応生成物を含むことを特徴とする請求項４０に記載の方法。
【請求項４２】
基材上への薄膜且つ無色且つ水不溶性のコーティングの製造方法であって、
（ａ）金属過酸化物を含む水性配合物を製造するステップと、
（ｂ）水溶性高分子剤を前記ステップ（ａ）で得た溶液に加えて、前記水溶性高分子剤の量を、前記金属過酸化物と水溶性高分子剤との全乾燥重量に対して約９〜５５重量パーセントとならしめるステップと、
（ｃ）前記基材に、１００℃未満の温度において前記ステップ（ｂ）で得た溶液を塗布するステップと、
（ｄ）前記塗布された基材を１００℃未満の温度で乾燥するステップと、
を備えることを特徴とする製造方法。
【請求項４３】
前記金属過酸化物はチタン過酸化物ゾルであることを特徴とする請求項４２に記載の方法。
【請求項４４】
前記水溶性高分子剤はポリエチレンオキシドシラン湿潤剤を含むことを特徴とする請求項４２に記載の方法。
【請求項４５】
前記水溶性高分子剤は、脂肪族アクリルウレタンポリマーを含むことを特徴とする請求項４２に記載の方法。
【請求項４６】
前記水溶性高分子剤はパラビスシクロヘキシルメタンジアミンを含むことを特徴とする請求項４２に記載の方法。
【請求項４７】
前記水溶性高分子剤は、水溶性の脂肪族ジイソシアネートと第３アミンとの反応生成物を含むことを特徴とする請求項４２に記載の方法。
【請求項４８】
前記脂肪族ジイソシアネートは、ジメチルプロピオン酸とイソフォロンジイソシアネートとの反応生成物を含むことを特徴とする請求項４７に記載の方法。
【請求項４９】
前記基材は、所定環境下で塗布されることを特徴とする請求項４２に記載の方法。
【請求項５０】
前記塗布された基材は、所定環境下で乾燥されることを特徴とする請求項４２に記載の方法。
【請求項５１】
自浄作用を有し光触媒活性であり薄膜化可能な無色且つ水不溶性の塗料の製造方法であって、
（ａ）約６〜１０ｎｍの範囲内の粒径を有する光触媒活性の金属酸化物粒子と、金属過酸化物と、を含む水性配合物を製造し、該金属酸化物粒子の一部を前記水性配合物に溶解せしめるステップと、
（ｂ）水溶性高分子剤を前記ステップ（ａ）で得た水性配合物に加え、前記水溶性高分子剤の量を前記水性配合物の構成成分の全乾燥重量に対して約５〜５０重量パーセントとならしめるステップと、
を備えることを特徴とする製造方法。
【請求項５２】
前記水溶性高分子剤はポリエチレンオキシドシランを含むことを特徴とする請求項５１に記載の方法。
【請求項５３】
前記水溶性高分子剤は脂肪族アクリルウレタンポリマーであることを特徴とする請求項５１に記載の方法。
【請求項５４】
前記水溶性高分子剤はパラビスシクロヘキシルメタンジアミンであることを特徴とする請求項５１に記載の方法。
【請求項５５】
前記水溶性高分子剤は水溶性の脂肪族ジイソシアネートと第３アミンとの反応生成物であることを特徴とする請求項５１に記載の方法。
【請求項５６】
前記脂肪族ジイソシアネートは、ジメチルプロピオン酸とイソフォロンジイソシアネートとの反応生成物であることを特徴とする請求項５１に記載の方法。
【請求項５７】
前記水溶性高分子剤の量は、前記金属過酸化物と水溶性高分子剤との全乾燥重量に対して約９〜５５重量パーセントであることを特徴とする請求項５１に記載の方法。
【請求項５８】
前記金属過酸化物は二酸化チタンゾル過酸化物であることを特徴とする請求項５１に記載の方法。
【請求項５９】
基材上への薄膜且つ自浄作用を有する光触媒活性の無色且つ水不溶性のコーティングの製造方法であって、
（ａ）約６〜１０ｎｍの範囲内の粒径を有する光触媒活性の金属酸化物粒子と、金属過酸化物と、を含む水性配合物を製造し、該金属酸化物粒子の一部を前記水性配合物に溶解せしめるステップと、
（ｂ）水溶性高分子剤を前記ステップ（ａ）で得た配合物に加え、前記水溶性高分子剤の量を前記水性配合物の構成成分の全乾燥重量に対して約５〜５０重量パーセントとならしめるステップと、
（ｃ）前記基材に、１００℃未満の温度において前記ステップ（ｂ）で得た溶液を塗布するステップと、
（ｄ）前記塗布された基材を１００℃未満の温度で乾燥するステップと、
を備えることを特徴とする製造方法。
【請求項６０】
前記金属過酸化物はチタン過酸化物であることを特徴とする請求項５９に記載の方法。
【請求項６１】
前記水溶性高分子剤は、ポリエチレンオキシドシラン湿潤剤を含むことを特徴とする請求項５９に記載の方法。
【請求項６２】
前記水溶性高分子剤は、脂肪族アクリルウレタンポリマーを含むことを特徴とする請求項５９に記載の方法。
【請求項６３】
前記水溶性高分子剤は、パラビスシクロヘキシルメタンジアミン鎖伸長剤を含むことを特徴とする請求項５９に記載の方法。
【請求項６４】
前記水溶性高分子剤は、水溶性の脂肪族ジイソシアネートと第３アミンとの反応生成物を含むことを特徴とする請求項５９に記載の方法。
【請求項６５】
前記脂肪族ジイソシアネートは、ジメチルプロピオン酸とイソフォロンジイソシアネートとの反応生成物である付加体を含むことを特徴とする請求項５９に記載の方法。
【請求項６６】
前記基材は所定環境下で塗布されることを特徴とする請求項５９に記載の方法。
【請求項６７】
前記塗布された基材は、所定環境下で乾燥されることを特徴とする請求項５９に記載の方法。
【請求項６８】
前記金属酸化物粒子は、ＴｉＯ2，ＺｎＯ，ＳｒＴｉＯ3，ＣｄＯ，Ｉｎ2Ｏ3，ＢａＴｉＯ3，Ｋ2ＮｂＯ3，Ｆｅ2Ｏ3，Ｔａ2Ｏ5，ＷＯ3，ＳａＯ2，Ｂｉ2Ｏ3，ＮｉＯ，Ｃｕ2Ｏ，ＳｉＯ2，ＲｕＯ2，ＣｅＯ2から選択されることを特徴とする請求項５９に記載の方法。
【請求項６９】
前記金属酸化物粒子は、ＴｉＯ2およびＺｒＯ2から選択されることを特徴とする請求項５９に記載の方法。
【請求項７０】
約６〜１０ｎｍの範囲内の粒径を有する金属酸化物粒子をさらに含むことを特徴とする請求項１５に記載の塗料。
【請求項７１】
前記金属酸化物粒子の一部が溶解されてなることを特徴とする請求項７０に記載の塗料。
【請求項７２】
前記金属酸化物粒子の全てが溶解されてなることを特徴とする請求項７０に記載の塗料。